(57)【要約】【課題】湯張り開始と同時に排水栓が自動で閉まるようにした浴槽装置を提供すること。【解決手段】浴槽２に湯水を給湯する給湯器３を有し、浴槽２に設けられた排水口９を排水栓１０で開閉する浴槽装置１であって、給湯器３の給湯圧力を利用して、排水栓１０を閉動作させる閉塞手段１１が設けられている。【選択図】図１
2011026891.tif 000002
【特許請求の範囲】
【請求項１】
浴槽に湯水を給湯する給湯器を有し、該浴槽に設けられた排水口を排水栓で開閉する浴槽装置であって、
前記給湯器の給湯圧力を利用して、前記排水栓を閉動作させる閉塞手段が設けられていることを特徴とする浴槽装置。
【請求項２】
前記閉塞手段は、前記給湯器から給湯される湯水が流れる給湯管内の水圧が所定の圧力以上になったときに可動する可動部を有し、該可動部が可動されたときに、前記排水栓が閉動作されることを特徴とする請求項１に記載の浴槽装置。
【請求項３】
前記閉塞手段には、前記排水栓と連結された移動壁部を有し、かつ作動液が充填された排水栓支持室が設けられ、前記移動壁部は、前記排水栓が開放される開放位置と、前記排水栓が閉塞される閉塞位置と、の間で移動できるようになっており、前記可動部が可動されたときに、前記作動液が前記排水栓支持室の外部に流出し、前記移動壁部が前記開放位置から前記閉塞位置に移動されることを特徴とする請求項２に記載の浴槽装置。
【請求項４】
前記移動壁部を前記閉塞位置に向かって付勢する付勢手段が設けられていることを特徴とする請求項３に記載の浴槽装置。
【請求項５】
前記移動壁部が前記開放位置から前記閉塞位置に移動されるときに、前記排水栓支持室内部から流出する前記作動液が貯留される貯留室が設けられており、該移動壁部が前記閉塞位置から前記開放位置に移動されるときに、前記作動液が前記貯留室から該排水栓支持室に流入されることを特徴とする請求項３または４に記載の浴槽装置。
【請求項６】
前記閉塞手段には、前記排水栓と連結された移動壁部を有し、かつ作動液が充填された排水栓支持室が設けられ、前記移動壁部は、前記排水栓が開放される開放位置と、前記排水栓が閉塞される閉塞位置と、の間で移動できるようになっており、操作部の操作力が伝達される操作力伝達手段が設けられ、該操作力伝達手段により前記移動壁部が前記閉塞位置から前記開放位置に移動されて前記作動液が前記排水栓支持室の内部に流入され、該作動液が前記排水栓支持室の内部に充填されることを特徴とする請求項１ないし５のいずれかに記載の浴槽装置。
【発明の詳細な説明】
【技術分野】
【０００１】
本発明は、浴槽に湯水を給湯する給湯器を有し、浴槽に設けられた排水口を排水栓で開閉する浴槽装置に関する。
【背景技術】
【０００２】
従来の排水栓装置（浴槽装置）には、浴槽の底部に設けられた排水口を開閉するためのポップアップ式の排水栓装置（浴槽装置）がある。この排水栓装置（浴槽装置）は、浴槽に設けられた押ボタンで操作される操作力伝達部材によって上げ下げされる栓体を有するとともに、この栓体を上昇位置で保持する位置保持機構を有しており、押ボタンを１回押すと、栓体が上昇して排水口の開放状態が保持され、押ボタンをもう１回押すと、栓体が下降して排水口が閉じるようになっている（例えば、特許文献１参照）。
【先行技術文献】
【特許文献】
【０００３】
【特許文献１】特開平８−２７７５５９号公報（第３頁、第２図）
【発明の概要】
【発明が解決しようとする課題】
【０００４】
一般的に、台所等の浴室以外の場所に設置された操作パネルによって操作でき、予め設定した湯量、湯温で給湯を行う、いわゆる全自動風呂が普及している。しかしながら、特許文献１に記載の排水栓装置（浴槽装置）にあっては、使用者が浴槽に設けられた押ボタンを操作して栓体（排水栓）の開け閉めを行わなければならず、台所等に設置された操作パネルによって、浴槽に湯張りをする際に、使用者が一旦浴室へ移動して浴槽の栓体の開栓または閉栓の確認を行わなければならず、その確認作業が面倒であるばかりか、使用者が確認作業を怠り、栓体が開いた状態で給湯されると、湯水は浴槽に溜まらずそのまま排水されてしまい、水道代、ガス代の無駄が生じるという問題がある。
【０００５】
本発明は、このような問題点に着目してなされたもので、湯張り開始と同時に排水栓が自動で閉まるようにした浴槽装置を提供することを目的とする。
【課題を解決するための手段】
【０００６】
課題を解決するために、本発明の浴槽装置は、
浴槽に湯水を給湯する給湯器を有し、該浴槽に設けられた排水口を排水栓で開閉する浴槽装置であって、
前記給湯器の給湯圧力を利用して、前記排水栓を閉動作させる閉塞手段が設けられていることを特徴としている。
この特徴によれば、使用者が確認作業を怠り、排水栓が開いた状態で湯水が給湯されても、湯張り開始と同時に排水栓が自動で閉まり、使用者が湯張り前に浴室に移動して浴槽の排水栓の開放状態または閉塞状態の確認を行わずに済むようになる。
【０００７】
本発明の浴槽装置は、
前記閉塞手段は、前記給湯器から給湯される湯水が流れる給湯管内の水圧が所定の圧力以上になったときに可動する可動部を有し、該可動部が可動されたときに、前記排水栓が閉動作されることを特徴としている。
この特徴によれば、給湯管内を流れる湯水を、可動部の可動を制御する制御手段として利用できるとともに、湯張りのタイミングと、排水栓を閉動作させるタイミングとを一致させることができる。
【０００８】
本発明の浴槽装置は、
前記閉塞手段には、前記排水栓と連結された移動壁部を有し、かつ作動液が充填された排水栓支持室が設けられ、前記移動壁部は、前記排水栓が開放される開放位置と、前記排水栓が閉塞される閉塞位置と、の間で移動できるようになっており、前記可動部が可動されたときに、前記作動液が前記排水栓支持室の外部に流出し、前記移動壁部が前記開放位置から前記閉塞位置に移動されることを特徴としている。
この特徴によれば、作動液によって開放位置に支持された移動壁部により排水栓が開放されており、可動部が可動されたときに、排水栓支持室から作動液が流出して、移動壁部が閉塞位置に移動し、排水栓支持室で支持されている排水栓が閉動作されるようになる。
【０００９】
本発明の浴槽装置は、
前記移動壁部を前記閉塞位置に向かって付勢する付勢手段が設けられていることを特徴としている。
この特徴によれば、可動部が可動されたときに、付勢手段によって作動液を排水栓支持室外部に強制的に流出させることができる。
【００１０】
本発明の浴槽装置は、
前記移動壁部が前記開放位置から前記閉塞位置に移動されるときに、前記排水栓支持室内部から流出する前記作動液が貯留される貯留室が設けられており、該移動壁部が前記閉塞位置から前記開放位置に移動されるときに、前記作動液が前記貯留室から該排水栓支持室に流入されることを特徴としている。
この特徴によれば、排水栓支持室から流出する作動液は貯留室に貯留され、排水栓支持室に流入される作動液は、この貯留室に貯留された作動液を再利用して流入されることとなり、作動液を繰返し使用することができる。
【００１１】
本発明の浴槽装置は、
前記閉塞手段には、前記排水栓と連結された移動壁部を有し、かつ作動液が充填された排水栓支持室が設けられ、前記移動壁部は、前記排水栓が開放される開放位置と、前記排水栓が閉塞される閉塞位置と、の間で移動できるようになっており、操作部の操作力が伝達される操作力伝達手段が設けられ、該操作力伝達手段により前記移動壁部が前記閉塞位置から前記開放位置に移動されて前記作動液が前記排水栓支持室の内部に流入され、該作動液が前記排水栓支持室の内部に充填されることを特徴としている。
この特徴によれば、操作部が操作されると操作力伝達手段により移動壁部が開放位置に移動し、排水栓支持室に作動液が流入して、排水栓支持室で支持されている排水栓が開動作されるとともに、排水栓支持室の内部に充填された作動液により移動壁部を開放位置で支持することができる。
【図面の簡単な説明】
【００１２】
【図１】浴槽装置を示す概略図である。
【図２】排水栓の閉塞状態を示す断面図である。
【図３】排水栓の開動作を説明する断面図である。
【図４】排水時の状態を示す断面図である。
【図５】排水栓の開放状態を示す断面図である。
【図６】排水栓の閉動作を説明する断面図である。
【図７】手動操作の際の排水栓の閉動作を説明する断面図である。
【発明を実施するための形態】
【００１３】
本発明に係る浴槽装置を実施するための形態を実施例に基づいて以下に説明する。
【実施例】
【００１４】
実施例に係る浴槽装置につき、図１から図７を参照して説明する。図１の符号１は、本発明の適用された浴槽装置である。この浴槽装置１は、いわゆる全自動風呂であり、台所等の浴室以外の場所に設置された操作パネル（図示略）によって操作でき、予め設定した湯量、湯温で給湯を行えるようになっている。
【００１５】
図１に示すように、浴槽装置１は、浴槽２に湯水を給湯する給湯器３を有しており、この給湯器３には、水道管４が接続されている。また、浴槽２の側面部には、給湯口５を有する循環金具６が取り付けられている。更に、給湯器３と循環金具６とは、湯張給湯管７及び追焚給湯管８により接続されている。
【００１６】
使用者が、操作パネルを操作して湯張りを開始すると、水道管４から給湯器３に水が流れ込み、給湯器３で所定の温度に温められた湯水が、湯張給湯管７を介して循環金具６から浴槽２内に給湯されるようになっている。
【００１７】
また、この浴槽装置１は、浴槽２内の湯水を再び給湯器３に循環させて温める追焚きができる追炊き機能を有している。使用者が、操作パネルを操作して追焚きを開始すると、循環金具６から浴槽２内の湯水が追焚給湯管８を介して給湯器３に流れ込み、再び所定の温度に温められた湯水が、湯張給湯管７を介して循環金具６から浴槽２内に給湯されるようになっている。
【００１８】
更に、浴槽２の底部には、排水口９が設けられており、この排水口９を閉塞する排水栓１０が設けられている。この排水栓１０は昇降されることにより、排水口９を開放状態にしたり閉塞状態にすることができる。排水口９の下方位置には、排水栓１０を昇降させるための本発明における閉塞手段としての排水栓制御装置１１が設けられている。
【００１９】
図２に示すように、排水栓制御装置１１は、排水口９の直下に設けられた略円筒形状をなす排水室１２を有している。排水室１２は、その内周側面における上方側に排水トラップ（図示略）に接続される排水管部１３が形成されている。排水管部１３から排水された湯水は、排水トラップを介して下水道に排水されるようになっている。
【００２０】
排水室１２における下方側には、ダイヤフラム１４が設けられており、このダイヤフラム１４によって、排水室１２が上方側と下方側に仕切られている。尚、排水栓１０には、下方側に向かって延びる排水栓軸１５が取り付けられている。この排水栓軸１５は、排水口９に設けられた排水口金具１６の中心部の保持部１７に保持されている。排水栓軸１５の下端部には、水平方向に板状に広がる排水栓軸板部１８が形成されている。
【００２１】
この排水栓軸板部１８の上面に支持板１９が設けられるとともに、この支持板１９の上面には、ダイヤフラム１４が設けられている。支持板１９とダイヤフラム１４は、固定板２０によって排水栓軸１５に対して固定されている。
【００２２】
尚、排水栓軸板部１８と固定板２０と支持板１９とダイヤフラム１４とにより、排水栓支持室２１の一部の壁部を形成する本発明における移動壁部を構成している。排水栓軸１５には、排水口金具１６と固定板２０との間に配置された本発明における付勢手段としての排水栓軸バネ２２が設けられており、この排水栓軸バネ２２によって、ダイヤフラム１４が下方に向かって付勢されている。
【００２３】
図２に示すように、排水室１２におけるダイヤフラム１４で仕切られた上方側の空間は、浴槽２から排水された湯水が流れる排水領域２３となっている。排水室１２におけるダイヤフラム１４で仕切られた下方側の空間が排水栓支持室２１として形成されている。この排水栓支持室２１の内部には、作動液が充填されている。尚、この作動液は低温でも凍らない不凍液で構成されている。
【００２４】
排水栓１０とダイヤフラム１４は、排水栓軸１５により連結されているため、排水栓１０とダイヤフラム１４は、同時に昇降されるようになっている。ここで、排水栓１０が開放されている状態におけるダイヤフラム１４の位置を開放位置とし（図４参照）、排水栓１０が閉塞されている状態におけるダイヤフラム１４の位置を閉塞位置とする（図２参照）。
【００２５】
排水栓支持室２１の内部には、ポップアップ回転軸２４が設けられており、このポップアップ回転軸２４は、浴槽２の近傍に設けられた本発明における操作部としての押ボタン２５を、使用者が操作することによって昇降動作される。
【００２６】
押ボタン２５とポップアップ回転軸２４とは、本発明における操作力伝達手段としての伝達部材２６によって連結されており、伝達部材２６の内部には、ワイヤー（図示略）が配置されている。押ボタン２５が押下されると、その操作力が伝達部材２６の内部のワイヤーによってポップアップ回転軸２４に伝達され、ポップアップ回転軸２４が上昇される。そして、押ボタン２５の押下が解除されるとポップアップ回転軸２４が降下される。
【００２７】
図２に示すように、排水栓支持室２１と隣接して略円筒形状をなす制御室２７が設けられている。排水栓支持室２１と制御室２７とは、第１連通管２８により連通されている。この制御室２７には、仕切壁２９が設けられており、この仕切壁２９によって、制御室２７が左方側の空間と右方側の空間とに仕切られている。更に、この制御室２７には、ダイヤフラム３０が設けられており、制御室２７における仕切壁２９によって仕切られた右方側の空間が、ダイヤフラム３０によって仕切られている。
【００２８】
制御室２７における仕切壁２９によって仕切られた左方側の空間が、第１制御領域３１となっており、制御室２７における仕切壁２９とダイヤフラム３０によって仕切られた中央部の空間が、第２制御領域３２となっており、制御室２７におけるダイヤフラム３０によって仕切られた右方側の空間が、第３制御領域３３となっている。
【００２９】
尚、前述した第１連通管２８は、排水栓支持室２１と、制御室２７における第１制御領域３１と、を連通しており、排水栓支持室２１と第１制御領域３１との間で、作動液が第１連通管を介して移動されるようになっている。
【００３０】
図２に示すように、仕切壁２９には、開口部３４が形成されており、この開口部３４を開閉する調節弁３５が設けられている。この調節弁３５は、パッキン３６が設けられた円板部３７と、この円板部３７から第２制御領域３２に向かって突出されたロッド部３８とを有している。このロッド部３８は、仕切壁２９の開口部３４に設けられた保持部５８に保持されている。
【００３１】
そして、調節弁３５は、第１制御領域３１側から仕切壁２９の開口部３４を閉塞するようになっている。尚、パッキン３６は、仕切壁２９に向かって窄まるように形成されたテーパー面を有しており、このパッキン３６によって、仕切壁２９の開口部３４が閉塞される。
【００３２】
制御室２７の左側面には、調節弁バネ３９が設けられており、調節弁バネ３９の右端部は、調節弁３５の円板部３７に接続されている。この調節弁バネ３９によって、調節弁３５が右方側に付勢されて調節弁３５により開口部３４が閉塞される。
【００３３】
制御室２７の上方側には、貯留室４０が設けられている。この貯留室４０には、ダイヤフラム４１が設けられており、このダイヤフラム４１によって、貯留室４０が上方領域４２と下方領域４３とに仕切られている。
【００３４】
図２に示すように、貯留室４０の上面は、その一部が開口されており、上方領域４２が外部に開放されている。ダイヤフラム４１によって、貯留室４０の内部の作動液が蒸発するのを防ぐことができる。そして、貯留室４０の下面と制御室２７の上面とが第２連通管４４により連通されており、貯留室４０の下方領域４３と制御室２７の第２制御領域３２とが連通されている。
【００３５】
第２制御領域３２と貯留室４０の下方領域４３には、作動液が充填されている。そして、第２制御領域３２と貯留室４０の下方領域４３との間で、作動液が第２連通管４４を介して移動されるようになっている。更に、第２制御領域３２と第３制御領域３３との間に設けられたダイヤフラム３０には、ロッド部３８とは近接して配置される本発明における可動部としての可動部材４５が設けられている。
【００３６】
図１に示すように、制御室２７と、湯張給湯管７とは、制御用給湯管４６により接続されており、湯張給湯管７の内部を流れる湯水の一部は、制御用給湯管４６を流れて第３制御領域３３に入り込むようになっている（図２参照）。制御用給湯管４６から第３制御領域３３に入り込む湯水の水圧によって、ダイヤフラム３０が可動されるようになっている。
【００３７】
ダイヤフラム３０が可動されることによって、可動部材４５は、調節弁３５のロッド部３８を押圧する可動位置と（図６参照）、可動部材４５が調節弁３５のロッド部３８から離れる非可動位置と（図２参照）、の間で可動されるようになっている。
【００３８】
次に、図２から図５を参照して、押ボタン２５による排水栓１０の開動作について説明する。図２に示すように、浴槽２には湯水が入っており、排水栓１０は閉塞状態にあるとともにダイヤフラム１４は閉塞位置にある。
【００３９】
この状態で使用者が押ボタン２５を押圧操作すると、伝達部材２６の内部のワイヤーによって排水栓支持室２１におけるポップアップ回転軸２４の上端が排水栓軸板部１８に当接して排水栓軸１５を押し上げ、排水栓１０が上昇して開動作され、ダイヤフラム１４が閉塞位置から開放位置に移動する（図３参照）。
【００４０】
ダイヤフラム１４が閉塞位置から開放位置に移動することにより、排水栓支持室２１の容積が増加して作動液が負圧となるとともに、排水栓支持室２１と連通されている制御室２７の第１制御領域３１の作動液も負圧となる。そのため、調節弁３５が第１制御領域３１側に吸引され、制御室２７の仕切壁２９の開口部３４が開放される（図３参照）。
【００４１】
制御室２７の仕切壁２９の開口部３４が開放されることにより、貯留室４０に貯留された作動液が第２制御領域３２を介して第１制御領域３１に流入され、貯留室４０のダイヤフラム４１は降下するとともに、第１制御領域３１を介して排水栓支持室２１に作動液が流入される。また、排水栓１０が開放状態になると、浴槽２内の湯水が排水領域２３に排水され、排水管部１３を介して排水される。
【００４２】
図４に示すように、調節弁３５は、作動液の移動によって排水栓支持室２１と貯留室４０が同圧となったところで閉塞される。押ボタン２５の押圧操作が解除されると、伝達部材２６の内部のワイヤーとともにポップアップ回転軸２４が降下される。ポップアップ回転軸２４が降下されても、排水栓支持室２１の内部には、作動液が充填されているため、この作動液によってダイヤフラム１４は閉塞位置に保持される。
【００４３】
また、調節弁バネ３９によって調節弁３５が仕切壁２９の開口部３４の方向に付勢されており、開口部３４は閉塞されたままとなるため、排水栓支持室２１の作動液が流出されることがなくなり、排水栓１０の開放状態が維持される。
【００４４】
次に、図５、図６を参照して、給湯圧力による排水栓１０の閉動作について説明する。図５に示すように、排水栓１０は開放状態にあるとともに、排水栓支持室２１のダイヤフラム１４は開放位置にあり、制御室２７のダイヤフラム３０は非可動位置にある。
【００４５】
使用者が、台所等にある操作パネル（図示略）を操作して湯張りが開始されると、給湯器３から流出された湯水は、湯張給湯管７を介して浴槽２に給湯されるとともに、湯張給湯管７の内部を流れる湯水の一部は、制御用給湯管４６を流れて第３制御領域３３に入り込むようになっている。
【００４６】
そして、図６に示すように、湯張給湯管７内の水圧が高くなり、制御用給湯管４６を通して第３制御領域３３に伝達され、その水圧によってダイヤフラム３０が可動され、ダイヤフラム３０が非可動位置から可動位置に移動する。
【００４７】
また、ダイヤフラム３０の可動とともに、ダイヤフラム３０に取り付けられた可動部材４５がロッド部３８に当接し、第３制御領域３３の水圧によりロッド部３８が押圧され、調節弁バネ３９の付勢力に抗して調節弁３５が第１制御領域３１に移動し、仕切壁２９の開口部３４が開放される。尚、一般的に、水道の水圧は２〜３気圧となっており、調節弁バネ３９の付勢力は、水道の水圧により可動部材４５が調節弁３５を押圧する押圧力よりも弱くなるように設定されている。
【００４８】
ダイヤフラム１４は、排水栓軸バネ２２によって下方向に付勢されているため、制御室２７の開口部３４が開放されると、排水栓支持室２１の内部の作動液が第１制御領域３１を介して第２制御領域３２に強制的に流出されて、この第２制御領域から貯留室４０に作動液が流入されるようになっている。それに伴い、貯留室４０のダイヤフラム４１は上昇される。
【００４９】
尚、貯留室４０の上面の一部は開口しているため、貯留室４０の上方領域４２にある空気が貯留室４０内部に留まることなく、作動液が貯留室４０の下方領域に流入されても、貯留室４０の上方領域４２にある空気がダイヤフラム４１の上昇を妨げないようになっている。
【００５０】
排水栓支持室２１内部の作動液が貯留室４０に流出することにより、ダイヤフラム１４が開放位置から閉塞位置に移動するとともに、排水栓１０は閉動作されて排水口９が閉塞状態となる。そのため浴槽２に湯水を溜めることができる。
【００５１】
湯張りが行われている間は、第３制御領域３３に所定の水圧がかけられているため、ダイヤフラム３０は可動位置にあり、調節弁３５も開放された状態となっている。湯張りが終了されると、給湯器３から湯張給湯管７に流出される湯水は止まり、湯張給湯管７内の水圧は低くなる。
【００５２】
制御用給湯管４６内から第３制御領域３３に伝達される水圧が所定の水圧より低くなることにより、可動部材４５がロッド部３８を押圧する力がなくなり、かつ調節弁３５は調節弁バネ３９によって付勢され、調節弁３５によって仕切壁２９の開口部３４が閉塞され、ダイヤフラム３０は可動位置から非可動位置に移動する（図２参照）。また、ダイヤフラム１４は、排水栓軸バネ２２によって下方側に付勢されているため、ダイヤフラム１４は閉塞位置のままとなり、排水栓１０の閉塞状態が維持される。
【００５３】
本発明の排水栓制御装置１１は、使用者が手動操作を行うことによって排水栓１０を閉塞状態にすることができる。次に、図２、図５、図７を参照して、使用者が手動により押ボタン２５を押圧操作することによる排水栓１０の閉動作について説明する。
【００５４】
図５に示すように、排水栓支持室２１の下面と制御室２７の下面は、第３連通管４７により連通されており、排水栓支持室２１と制御室２７の第２制御領域３２とが連通されている。排水栓支持室２１の下面には、第３連通管４７と通じる連通孔４８が形成されており、この連通孔４８を開閉する連通孔制御弁４９が設けられている。
【００５５】
連通孔制御弁４９は、略円筒形状をなし、連通孔制御弁４９の下部には、略円板状をなすフランジ部５０が形成されている。尚、排水室１２の下面には、ポップアップ回転軸２４の周囲を囲むように形成された円筒形状をなす挿嵌保持部５１が設けられている。この挿嵌保持部５１の外周に、連通孔制御弁４９が挿嵌されている。
【００５６】
また、排水室１２の下面には、連通孔制御弁４９の周囲を覆うように形成されて連通孔制御弁４９の外周を保持する外周保持部５２が設けられている。連通孔制御弁４９は、挿嵌保持部５１と外周保持部５２との間に昇降自在に配置される。
【００５７】
前述した連通孔４８は、排水室１２の下面における挿嵌保持部５１と外周保持部５２との間に開口されている。外周保持部５２の側面には、排水栓支持室２１と連通する側面孔５7が設けられている。連通孔制御弁４９のフランジ部５０の下面には、パッキン５３が設けられている。そして、連通孔制御弁４９と外周保持部５２との間には、連通孔制御弁バネ５４が設けられている。
【００５８】
この連通孔制御弁バネ５４が連通孔制御弁４９のフランジ部５０の上面を付勢することにより、連通孔制御弁４９が下方側に向かって付勢され、連通孔制御弁４９のフランジ部５０のパッキン５３により連通孔４８が閉塞されるようになっている。
【００５９】
尚、連通孔制御弁４９の上面部には、平面視において、略長方形状をなす長孔部５５が開口されている。また、ポップアップ回転軸２４の上端部近傍の側周面には、両側方に突出する２本の係合歯５６が形成されている。更に尚、平面視において、長孔部５５の長手方向の幅は、ポップアップ回転軸２４の係合歯５６を含めた左右幅よりも大きくなるように形成されている。
【００６０】
ポップアップ回転軸２４は、降下時に水平方向に所定角度回転されるようになっており、ポップアップ回転軸２４の係合歯５６の突出方向が変化するようになっている。そして、ポップアップ回転軸２４が上昇する際に、長孔部５５の長手方向と係合歯５６の突出方向とが一致した場合には、ポップアップ回転軸２４は、長孔部５５を通過して上方に突出されるようになっており、このポップアップ回転軸２４の上端が排水栓軸板部１８に当接し、排水栓軸１５を押し上げるようになっている（図３参照）。
【００６１】
更に、長孔部５５の長手方向と係合歯５６の突出方向とが一致しない場合には、ポップアップ回転軸２４の係合歯５６が長孔部５５の周縁（連通孔制御弁４９の上面部）に当接し、ポップアップ回転軸２４の上昇とともに、連通孔制御弁４９が上昇されるようになり、フランジ部５０のパッキン５３が連通孔４８から離間されて、更にフランジ部５０が側面孔５７を通過して上昇すると、連通孔４８が開放されるようになっている（図７参照）。
【００６２】
尚、本実施例では、押ボタン２５を使用者が押圧操作する度に、ポップアップ回転軸２４が上昇して、その後、押ボタン２５の押下が解除されると、ポップアップ回転軸２４が９０度回転されながら降下し、ポップアップ回転軸２４の係合歯５６の突出方向が変化するようになっている。
【００６３】
つまり押ボタン２５を使用者が押圧操作する度に、長孔部５５の長手方向と係合歯５６の突出方向との一致と非一致が繰り返されるようになっており、ポップアップ回転軸２４のみの上昇と、連通孔制御弁４９を伴うポップアップ回転軸２４の上昇と、が交互に繰り返されるようになっている。
【００６４】
更に、使用者が押ボタン２５を押圧操作して手動により排水栓１０を閉塞する際の閉動作について詳述する。先ず図５に示すように、排水栓１０は開放状態にあるとともに、排水栓支持室２１のダイヤフラム１４は開放位置にある。
【００６５】
この状態で使用者が押ボタン２５を押圧操作すると、伝達部材２６の内部のワイヤー（図示略）によって排水栓支持室２１におけるポップアップ回転軸２４は押し上げられるとともに、ポップアップ回転軸２４の係合歯５６と連通孔制御弁４９の上面部とが係合して、連通孔制御弁バネ５４の付勢力に抗して連通孔制御弁４９が押し上げられ、連通孔４８が開放される（図７参照）。
【００６６】
図２に示すように、押ボタン２５の押下が解除されると、ポップアップ回転軸２４が降下されるとともに、連通孔制御弁４９が連通孔制御弁バネ５４の付勢力によって降下される。そして、ポップアップ回転軸２４が降下されるとともに、排水栓支持室２１の内部の作動液が、連通孔４８から第２制御領域３２に強制的に流出されて、この第２制御領域から貯留室４０に作動液が流入されるようになっている。それに伴い、貯留室４０のダイヤフラム４１は上昇される（図２参照）。
【００６７】
連通孔制御弁４９が降下し、更にフランジ部５０が側面孔５７を通過して降下すると、連通孔制御弁４９のフランジ部５０のパッキン５３により連通孔４８が閉塞されるようになっている。尚、ダイヤフラム１４は、排水栓軸バネ２２によって下方向に付勢されているため、ポップアップ回転軸２４の降下とともに、ダイヤフラム１４が開放位置から閉塞位置に移動され、排水栓１０が降下して排水口９が閉塞状態となる。
【００６８】
以上、本実施例では、給湯器３の給湯圧力を利用して、排水栓１０を閉動作させる排水栓制御装置１１が設けられていることで、使用者が確認作業を怠り、排水栓１０が開いた状態で湯水が給湯されても、湯張り開始と同時に排水栓１０が自動で閉まり、使用者が湯張り前に浴室に移動して浴槽２の排水栓１０の開放状態または閉塞状態の確認を行わずに済むようになる。
【００６９】
尚、排水栓制御装置１１は、給湯器３の湯張り給湯によって生じる水圧を利用して排水栓１０の開閉の制御を行っており、電磁弁などの電気機構部品を用いていないため、湯水を溜める浴槽２の近傍に排水栓制御装置１１を安全に使用することができる。
【００７０】
また、排水栓制御装置１１は、給湯器３から給湯される湯水が流れる制御用給湯管４６内の水圧が所定の圧力以上になったときに可動する可動部材４５を有し、可動部材４５が可動されたときに、排水栓１０が閉動作されることで、制御用給湯管４６内を流れる湯水を、可動部材４５の可動を制御する制御手段として利用できるとともに、湯張りのタイミングと、排水栓１０を閉動作させるタイミングとを一致させることができる。
【００７１】
また、排水栓制御装置１１には、排水栓１０と連結されたダイヤフラム１４を有し、かつ作動液が充填された排水栓支持室２１が設けられ、ダイヤフラム１４は、排水栓１０が開放される開放位置と、排水栓１０が閉塞される閉塞位置と、の間で移動できるようになっており、可動部材４５が可動されたときに、作動液が排水栓支持室２１の外部に流出し、ダイヤフラム１４が開放位置から閉塞位置に移動されることで、作動液によって開放位置に支持されたダイヤフラム１４により排水栓１０が開放されており、可動部材４５が可動されたときに、排水栓支持室２１から作動液が流出して、ダイヤフラム１４が閉塞位置に移動し、排水栓支持室２１で支持されている排水栓１０が閉動作されるようになる。
【００７２】
また、ダイヤフラム１４を閉塞位置に向かって付勢する排水栓軸バネ２２が設けられていることで、ダイヤフラム３０が可動されたときに、排水栓軸バネ２２によって作動液を排水栓支持室２１外部に強制的に流出させることができる。
【００７３】
また、ダイヤフラム１４が開放位置から閉塞位置に移動されるときに、排水栓支持室２１内部から流出する作動液が貯留される貯留室４０が設けられており、ダイヤフラム１４が閉塞位置から開放位置に移動されるときに、作動液が貯留室から排水栓支持室２１に流入されることで、排水栓支持室２１から流出する作動液は貯留室４０に貯留され、排水栓支持室２１に流入される作動液は、この貯留室４０に貯留された作動液を再利用して流入されることとなり、作動液を繰返し使用することができる。
【００７４】
また、排水栓制御装置１１には、排水栓１０と連結されたダイヤフラム１４を有し、かつ作動液が充填された排水栓支持室２１が設けられ、ダイヤフラム１４は、排水栓１０が開放される開放位置と、排水栓１０が閉塞される閉塞位置と、の間で移動できるようになっており、押ボタン２５の操作力が伝達される伝達部材２６およびポップアップ回転軸２４が設けられ、押ボタン２５が操作されると伝達部材２６およびポップアップ回転軸２４によりダイヤフラム１４が閉塞位置から開放位置に移動されて作動液が排水栓支持室２１の内部に流入され、作動液が排水栓支持室２１の内部に充填されることで、排水栓支持室２１で支持されている排水栓１０が開動作されるとともに、排水栓支持室２１の内部に充填された作動液によりダイヤフラム１４を開放位置で支持することができる。
【００７５】
尚、作動液を不凍液にて構成することにより、寒冷地などの氷点下の気温になる地域において、作動液が凍って排水栓制御装置１１が正常に動作しなくなることを防止できる。
【００７６】
以上、本発明の実施例を図面により説明してきたが、具体的な構成はこれら実施例に限られるものではなく、本発明の要旨を逸脱しない範囲における変更や追加があっても本発明に含まれる。
【００７７】
例えば、実施例では、排水室１２に排水栓支持室２１が形成されるとともに、排水室１２における排水栓支持室２１の上方側の空間が排水領域２３となっているが、排水領域２３が設けられる排水室１２と排水栓支持室２１とを別体に形成してもよく、例えば、排水領域２３が設けられる排水室１２の下方に、これとは別体の排水栓支持室２１を設け、排水栓支持室２１から上方に延びる排水栓軸１５を排水室１２に貫設し、この排水栓軸１５により排水栓１０を昇降させるようにしてもよい。
【００７８】
また、実施例では、本発明の排水栓制御装置１１を、給湯器３が追焚き機能を有する全自動風呂に適用したが、追焚き機能を有しない給湯器に本発明の排水栓制御装置１１を適用してもよい。
【００７９】
また、前記実施例では、本発明における付勢手段としての排水栓軸バネ２２が、排水栓軸１５が配置される排水領域２３に設けられているが、この付勢手段は、排水領域２３に無くてもよく、例えば、ダイヤフラム１４よりも下方側の排水栓支持室２１にバネ部材を配置して、排水栓軸１５を下方側から引っ張るように付勢してもよい。
【符号の説明】
【００８０】
１                浴槽装置
２                浴槽
３                給湯器
７                湯張給湯管
９                排水口
１０              排水栓
１１              排水栓制御装置（閉塞手段）
１４              ダイヤフラム（移動壁部）
２１              排水栓支持室
２２              排水栓軸バネ（付勢手段）
２５              押ボタン（操作部）
２６              伝達部材（操作力伝達手段）
４０              貯留室
４５              可動部材（可動部）
【図１】
2011026891.tif 000003
【図２】
2011026891.tif 000004
【図３】
2011026891.tif 000005
【図４】
2011026891.tif 000006
【図５】
2011026891.tif 000007
【図６】
2011026891.tif 000008
【図７】
2011026891.tif 000009